(57)【特許請求の範囲】
【請求項１】
室外熱交換器（２２）を有する室外機（２）と、
室内熱交換器（３０ａ，３０ｂ，３０ｃ，３０ｄ）を有する複数の室内機（３ａ，３ｂ，３ｃ，３ｄ）と、
前記室外熱交換器（２２）と、圧縮機（２０）と、複数の前記室内熱交換器（３０ａ，３０ｂ，３０ｃ，３０ｄ）とを結ぶ冷媒回路（５）と、
前記冷媒回路（５）中に設けられ、複数の前記室内熱交換器（３０ａ，３０ｂ，３０ｃ，３０ｄ）それぞれに流れる冷媒量を調整する複数の電動弁（３３ａ，３３ｂ，３３ｃ，３３ｄ）と、
前記圧縮機（２０）の吐出管温度を検知する吐出管温度センサ（２４）と、
暖房運転時において運転を停止している室内機が複数ある場合に、前記運転を停止している室内機（３ｂ、３ｃ、３ｄ）に対応する電動弁（３３ｂ、３３ｃ、３３ｄ）の開度を前記吐出管温度に基づいて制御する電動弁開度制御手段（２７）と、
前記室内熱交換器（３０ａ，３０ｂ，３０ｃ，３０ｄ）と前記電動弁（３３ａ，３３ｂ，３３ｃ，３３ｄ）との間の液管温度を検知する液管温度センサ（３４ａ，３４ｂ，３４ｃ，３４ｄ）と、
前記運転を停止している複数の室内機（３ｂ、３ｃ、３ｄ）に対応する電動弁（３３ｂ、３３ｃ、３３ｄ）の開度を、各電動弁（３３ｂ、３３ｃ、３３ｄ）に対応する前記液管温度に基づいて前記電動弁（３３ｂ、３３ｃ、３３ｄ）ごとにそれぞれ補正する電動弁開度補正手段（２７）と、
を備える空気調和機。
【請求項２】
前記電動弁開度補正手段（２７）は、暖房運転時において運転を停止している室内機（３ｂ，３ｃ，３ｄ）が複数ある場合に、前記運転を停止している室内機（３ｂ，３ｃ，３ｄ）の液管温度の平均値と前記運転を停止している室内機の液管温度との差が一定範囲に入るように、前記運転を停止している室内機（３ｂ，３ｃ，３ｄ）に対応する電動弁（３３ｂ，３３ｃ，３３ｄ）の開度を、前記電動弁（３３ｂ，３３ｃ，３３ｄ）ごとにそれぞれ補正する、
請求項１に記載の空気調和機。
【請求項３】
室外熱交換器（２２）を有する室外機（２）と、室内熱交換器（３０ａ，３０ｂ，３０ｃ，３０ｄ）を有する複数の室内機（３ａ，３ｂ，３ｃ，３ｄ）と、前記室外熱交換器（２２）と圧縮機（２０）と複数の前記室内熱交換器（３０ａ，３０ｂ，３０ｃ，３０ｄ）とを結ぶ冷媒回路（５）と、前記冷媒回路（５）中に設けられ複数の前記室内熱交換器（３０ａ，３０ｂ，３０ｃ，３０ｄ）それぞれに流れる冷媒量を調整する複数の電動弁（３３ａ，３３ｂ，３３ｃ，３３ｄ）と、圧縮機（２０）の吐出管温度を検知する吐出管温度センサ（２４）と、前記室内熱交換器（３０ａ，３０ｂ，３０ｃ，３０ｄ）と前記電動弁（３３ａ，３３ｂ，３３ｃ，３３ｄ）との間の液管温度を検知する液管温度センサ（３４ａ，３４ｂ，３４ｃ，３４ｄ）とを備える空気調和機（１）の制御方法であって、
暖房運転時において運転を停止している室内機が複数ある場合に、前記運転を停止している複数の室内機（３ｂ、３ｃ、３ｄ）に対応する電動弁（３３ｂ、３３ｃ、３３ｄ）の開度を前記吐出管温度に基づいて設定する第１ステップと、
前記運転を停止している複数の室内機（３ｂ、３ｃ、３ｄ）に対応する前記電動弁（３３ｂ、３３ｃ、３３ｄ）の開度を、各電動弁（３３ｂ、３３ｃ、３３ｄ）に対応する前記液管温度に基づいて前記電動弁（３３ｂ、３３ｃ、３３ｄ）ごとにそれぞれ補正する第２ステップと、
を有する空気調和機の制御方法。
【発明の詳細な説明】
【０００１】
【発明の属する技術分野】
本発明は、空気調和機、特に、１台の室外機に対して複数台の室内機が接続されるマルチ型空気調和機およびマルチ型空気調和機の制御方法に関する。
【０００２】
【従来の技術】
室外機と室内機とからなる空気調和機には、１台の室外機に対して複数台の室内機が接続されるいわゆるマルチ型空気調和機がある。
マルチ型空気調和機では、圧縮機と室外熱交換器とを有する室外機と、室内熱交換器をそれぞれ有する複数の室内機との間で冷媒回路を構成しており、この冷媒回路中には、各室内熱交換器に流れる冷媒量を調整する電動弁が室内熱交換器ごとに設けられる。暖房運転を行う場合、圧縮機からの高温冷媒が各室内熱交換器に分配され、それぞれ室内熱交換器が暖房運転を行う。このとき、各電動弁は、圧縮機の吐出管温度や各室内機が配置された室内の温度等に応じて開度を調整し、冷媒量を調整する。しかし、このような空気調和機を用いて、複数の部屋の空気調和を行う場合、必ずしもすべての室内機を運転させるとは限らず、いくつかの室内機を運転させ、残りの室内機の運転を停止させることがある。暖房運転を行っている場合において、室内機が運転を停止している部屋（以下「停止部屋」という）がある場合には、停止部屋の電動弁は、室内熱交換器への冷媒溜りの発生を避けるために、ある程度電動弁を開けておき若干の冷媒を流すことが行われている。このときの電動弁の開度が、固定された値であると、実際の運転状況の変化に対応できず、安定した冷媒制御を行うことは困難である。このため、停止部屋の電動弁の開度については、吐出管温度によるフィードバック制御を行うことが提案されている。これにより、実際の運転状態に合わせて停止部屋の冷媒量を調整することができ、空気調和機のシステム全体において、安定した冷媒制御を行うことができる。
【０００３】
【発明が解決しようとする課題】
しかし、このような制御を行う空気調和機では、停止部屋の電動弁がすべて一律に同じ制御を受けているため、停止部屋が複数ある場合には、停止部屋の室内環境や停止部屋の設置位置などの違いによっては、以下のような問題が生じる恐れがある。すなわち、ある停止部屋の室温が他の停止部屋の室温よりも低い場合には、この停止部屋の冷媒は放熱しやすくなっているため、液が溜りやすくなる。それにもかかわらず、この電動弁が他の停止部屋の電動弁と同じような開度に制御された場合には、この室温の低い停止部屋に液溜りが生じる恐れが高くなる。また、停止部屋の一つが、他の停止部屋よりも低い階にある場合には、高低差による圧力差が生じるため、低い階の停止部屋に液溜りが生じやすくなる。このような液溜りが生じると、システム全体の循環冷媒量が減少することによりガス欠気味の運転となり、暖房の能力不足や効率の低下を招きやすくなる。さらに、圧縮機の温度上昇等を招き、圧縮機の耐久性に影響を与える場合もありうる。
【０００４】
また、液溜りまで至らない場合であっても、各停止部屋間に滞留する液冷媒の量が異なる場合が生じうる。この場合、システム全体の循環冷媒量を確保するためには、液冷媒が多く滞留している部屋の液冷媒が排出されるまで、電動弁を開く必要がある。しかし、上述したような制御を行う空気調和機では、電動弁が一律に制御されるため、液冷媒が多く滞留している部屋の電動弁のみならず、他の電動弁まで開かれる状態となる。このことは、液冷媒が滞留していない停止部屋での冷媒音の発生原因となる。
【０００５】
本発明の課題は、マルチ型空気調和機が暖房運転を行っている場合であって、運転を停止している室内機が複数ある場合であっても、安定した冷媒制御を行うことができる空気調和機および空気調和機の制御方法を提供することにある。
【０００６】
【課題を解決するための手段】
請求項１に記載の空気調和機は、室外熱交換器を有する室外機と、室内熱交換器を有する複数の室内機と、冷媒回路と、電動弁と、吐出管温度センサと、電動弁開度制御手段と、液管温度センサと、電動弁開度補正手段とを備える。冷媒回路は、室外熱交換器と、圧縮機と、複数の前記室内熱交換器とを結ぶ。電動弁は、冷媒回路中に設けられ、複数の室内熱交換器それぞれに流れる冷媒量を調整する。吐出管温度センサは、圧縮機の吐出管温度を検知する。電動弁開度補正手段は、暖房運転時において運転を停止している室内機が複数ある場合に、運転を停止している室内機に対応する電動弁の開度を吐出管温度に基づいて制御する。液管温度センサは、室内熱交換器と電動弁との間の液管温度を検知する。電動弁開度補正手段は、運転を停止している複数の室内機に対応する電動弁の開度を、各電動弁に対応する液管温度に基づいて電動弁ごとにそれぞれ補正する。なお、運転を停止している室内機に対応する電動弁とは、運転を停止している室内機の室内熱交換器に流れる冷媒量を調整する電動弁を意味する。
【０００７】
この空気調和機では、運転を停止している室内機に対応する電動弁の開度が、すべての電動弁について一律に同様の制御を受けるのではなく、電動弁開度補正手段により、電動弁ごとにそれぞれ補正される。このため、室内機が置かれた部屋の温度や場所等の冷媒に影響を与えるような環境の違いに応じて、最適な電動弁の開度に補正して制御することができる。これにより、この空気調和機では、暖房運転が行われている場合であって、運転を停止している室内機が複数ある場合であっても、安定した冷媒制御を行うことができる。
【０００８】
請求項２に記載の発明は、請求項１に記載の空気調和機であって、電動弁開度補正手段は、暖房運転時において運転を停止している室内機が複数ある場合に、運転を停止している室内機の液管温度の平均値と運転を停止している室内機の液管温度との差が一定範囲に入るように、運転を停止している室内機に対応する電動弁の開度を、電動弁ごとにそれぞれ補正する。
【０００９】
この空気調和機では、運転を停止している全室内機の液管温度間の平均値と運転を停止している室内機の液管温度との差が一定範囲に入るように、運転を停止している室内機に対応する電動弁の開度を、電動弁ごとにそれぞれ制御する。このため、この空気調和機は、運転を停止している室内機内を流れる冷媒の量を各室内機について概ね均等にすることができる。これにより、室内熱交換器への液溜りが発生した場合や運転を停止している室内機内を流れる冷媒の量が各室内機について異なる場合に生じる不具合、例えば、冷媒音の発生や空気調和機全体の暖房能力の低下など、を抑えることができる。
【００１０】
請求項３に記載の発明は、室外熱交換器を有する室外機と、室内熱交換器を有する複数の室内機と、室外熱交換器と圧縮機と複数の室内熱交換器とを結ぶ冷媒回路と、冷媒回路中に設けられ複数の室内熱交換器それぞれに流れる冷媒量を調整する複数の電動弁と、圧縮機の吐出管温度を検知する吐出管温度センサと、室内熱交換器と電動弁との間の液管温度を検知する液管温度センサとを備える空気調和機の制御方法であって、第１ステップと第２ステップとを有する。第１ステップは、暖房運転時において運転を停止している室内機が複数ある場合に、運転を停止している複数の室内機に対応する電動弁の開度を吐出管温度に基づいて設定する。第２ステップは、運転を停止している複数の室内機に対応する電動弁開度を、各電動弁に対応する液管温度に基づいて電動弁ごとにそれぞれ補正する。
【００１１】
この空気調和機の制御方法では、運転を停止している室内機に対応する電動弁の開度が、すべての電動弁について一律に同様の制御を受けるのではなく、電動弁ごとにそれぞれ補正される。このため、室内機が置かれた部屋の温度や場所等の冷媒に影響を与えるような環境の違いに応じて、最適な電動弁の開度に補正して制御することができる。これにより、この空気調和機の制御方法によれば、暖房運転が行われている場合であって、運転を停止している室内機が複数ある場合であっても、安定した冷媒制御を行うことができる。
【００１２】
【発明の実施の形態】
〈空気調和機の構成〉
本発明の一実施形態が採用された空気調和機１を図１に示す。
空気調和機１は、１台の室外機に対して複数の室内機が接続される、いわゆるマルチ型空気調和機である。
【００１３】
この空気調和機１は、１台の室外機２に対し４台の室内機３ａ，３ｂ，３ｃ，３ｄが冷媒配管４ａ，４ｂ，４ｃ，４ｄにより接続されている。この４台の室内機３ａ，３ｂ，３ｃ，３ｄは、それぞれ別々の部屋に配置されている。また、ここでは室内機３ａのみが暖房運転を行っており、他の３台の室内機３ｂ，３ｃ，３ｄは、運転を停止している状態であるとする。
【００１４】
本空気調和機１の冷媒回路５の概略を図２に示す。
冷媒回路５は、１台の室外機２と、室外機２に並列に接続された４台の室内機３ａ，３ｂ，３ｃ，３ｄとにより構成されている。
室外機２は、圧縮機２０、四路切換弁２１、室外熱交換器２２、アキュムレータ２３などを備えている。また、圧縮機２０の吐出側には、圧縮機２０の吐出側の吐出管温度を検知するための吐出管サーミスタ２４が取り付けられている。室外機２には外気温度を検知するための外気サーミスタ２５と、室外熱交換器２２の温度を検知するための室外熱交サーミスタ２６とを備えている。
【００１５】
室内機３ａは、室内熱交換器３０ａと電動弁３３ａとを備えており、室内熱交換器３０ａと電動弁３３ａとは、直列に接続されている。電動弁３３ａは、室内熱交換器３０ａの出口側に設けられており室内熱交換器３０ａに流れる冷媒量を調整する。また、この室内機３ａは、室内温度を検知するための室温サーミスタ３１ａと、室内熱交換器３０ａの温度を検知するための室内熱交サーミスタ３２ａとをそれぞれ備えている。室内熱交換器３０ａと電動弁３３ａとの間の配管には、室内熱交換器３０ａと電動弁３３ａとの間の液管温度を検知するための液管サーミスタ３４が設けられている。室内熱交換器３０ａのガス管側には、内部を通過する冷媒温度を検知するガス管サーミスタ３５が設けられている。
【００１６】
他の室内機３ｂ、３ｃ、３ｄについても同様の構成であり、図２において、室内熱交換器、電動弁、各種サーミスタに対して同一の記号を付している。
なお、電動弁３３ａ，３３ｂ、３３ｃ、３３ｄは、室内機３ａ，３ｂ、３ｃ、３ｄに内蔵されるとは限らず、室内機３ａ，３ｂ、３ｃ、３ｄの外部に、例えば、各室内機３ａ，３ｂ、３ｃ、３ｄと室外機２とを接続する分岐ユニットなどの内部に設けられてもよい。
【００１７】
次に、空気調和機１の制御ブロック図を図３に示す。
室外機２は、マイクロプロセッサ、ＲＯＭ、ＲＡＭ、各種インターフェイスなどを含む室外制御部２７を備えている。
室外制御部２７には、吐出管サーミスタ２４、外気サーミスタ２５、室外熱交サーミスタ２６などの各種センサが接続されており、各センサの検知信号が入力される。
【００１８】
また、室外制御部２７は、接続される圧縮機２０、四路切換弁２１などに制御信号を供給することによって運転中の各部の制御を行うように構成されている。
室内機３ａには、室外機２と同様のマイクロプロセッサ、ＲＯＭ、ＲＡＭ、各種インターフェイスなどを含む室内制御部３６ａを備えている。
室内制御部３６ａには、室温サーミスタ３１ａ、室内熱交サーミスタ３２ａ、液管サーミスタ３４ａおよびガス管サーミスタ３５ａが接続されており、各センサの検知信号が入力されるように構成されている。
【００１９】
また、室内制御部３６ａは、室内機３ａに設けられた電動弁３３ａと接続されており、この電動弁３３ａにそれぞれ制御信号を送信して開度調整を行うように構成されている。
室外制御部２７と室内制御部３６ａとの間には、伝送線４０ａが設けられており、この伝送線４０ａを介して各種データの入出力が可能となっている。
【００２０】
他の室内機３ｂ、３ｃ、３ｄについても同様であり、各室内機３ｂ、３ｃ、３ｄの室内制御部３６ｂ、３６ｃ、３６ｄが、それぞれ室外制御部２７と伝送線４０ｂ、４０ｃ、４０ｄにより接続されている。
室外制御部２７は、運転中の各種条件に応じて圧縮機２０の運転周波数を制御することによって、空調運転の制御を行う。また、室内制御部３６ａ、３６ｂ、３６ｃ、３６ｄでは、運転中の各種条件に応じて電動弁３３ａの開度パルスを制御することによって、空調運転の制御を行う。また、室外制御部２７は、運転を停止している室内機３ｂ、３ｃ、３ｄの電動弁３３ｂ、３３ｃ、３３ｄについて、吐出管温度に基づいてその開度を決定するフィードバック制御を行うと共に、電動弁３３ｂ、３３ｃ、３３ｄごとに開度をそれぞれ補正する。以下、運転を停止している室内機３ｂ、３ｃ、３ｄの電動弁３３ｂ、３３ｃ、３３ｄの制御について説明する。
【００２１】
〈停止部屋における電動弁の制御〉
マルチ型空気調和機では、複数の室内機がそれぞれ別の部屋に配置され複数の部屋の空気調和が行われるが、すべての室内機が同時に運転されるとは限らない。すなわち、いくつかの室内機は運転を行い、残りの室内機は運転を停止している場合がある。運転を行っている室内機３ａが配置された部屋を「運転部屋」、運転を行っていない室内機３ｂ、３ｃ、３ｄが配置された部屋を「停止部屋」と呼ぶこととし、以下、暖房運転が行われている場合であって、停止部屋が複数ある場合における停止部屋の電動弁の制御について説明する。
【００２２】
停止部屋の電動弁３３ｂ、３３ｃ、３３ｄの制御フローチャートを図４および図５に示す。
図４に示す制御フローチャートでは、運転部屋の電動弁３３ａの開度は、吐出管温度Ｔｏに基づいて決定され、停止部屋の電動弁３３ｂ、３３ｃ、３３ｄの開度は、吐出管温度Ｔｏに基づいて決定された運転部屋の電動弁３３ａの開度に比例した値に決定される。
【００２３】
まず、ステップＳ１１では、運転部屋の室内熱交換器３０ａの凝縮温度Ｔｃａと室外熱交換器２２の蒸発温度Ｔｅとが、それぞれ室内熱交サーミスタ３２ａと室外熱交サーミスタ２６とにより検知される。
ステップＳ１２では、目標吐出管温度Ｔｍが下記の（i）式により算出される。
【００２４】
Ｔｍ＝ａ×Ｔｃａ＋ｂ×Ｔｅ＋ｓｈ        （i）
ここで、ａ，ｂは所定の定数であり、ｓｈは外気温度による補正項である。
ステップＳ１３では、目標吐出管温度Ｔｍと吐出管サーミスタ２４により検知された吐出管温度Ｔｏとの偏差を算出し、一定時間ごとに吐出管温度Ｔｏの変化量を算出する。
【００２５】
そして、ステップＳ１４で、運転部屋の電動弁３３ａの開度を決定する。
さらに、ステップＳ１５において、停止部屋の電動弁３３ｂ、３３ｃ、３３ｄの開度を決定する。すなわち、運転部屋の電動弁３３ａの開度に、ある係数ｄを乗じて停止部屋の電動弁３３ｂ、３３ｃ、３３ｄの目標電動弁開度とする。
次に、図５のフローチャートに示すように、停止部屋の電動弁３３ｂ、３３ｃ、３３ｄごとに上記の目標電動弁開度の補正が行われる。
【００２６】
まず、ステップＳ２１において、（１）空気調和機１が暖房運転中であること、（２）電動弁３３ｂ，３３ｃ，３３ｄがフィードバック制御中であること、の２つの条件が共に成立するか否かが判断される。上記の２つの条件が共に成立する場合は、ステップＳ２２へと進む。
ステップＳ２２では、サンプリングタイマーＴＴＨＳ５をセットスタートする。ステップＳ２３では、サンプリングタイマーＴＴＨＳ５が所定時間に達したか否かが判断される。サンプリングタイマーＴＴＨＳ５が所定時間に達した場合には、ステップＳ２４へと進む。
【００２７】
ステップＳ２４では、まず（１）各停止部屋の液管温度Ｔｌ♯の検知がそれぞれ行われる。次に、（２）各停止部屋の液管温度の平均値Ｔｌａｖｅが算出される。そして、（３）各停止部屋の液管温度Ｔｌ♯と平均値Ｔｌａｖｅとの偏差ΔＴｌ♯がそれぞれ算出される。ここで、上記の♯は、停止部屋のそれぞれの室内機に付されている記号ｂ、ｃ、ｄのいずれかを意味する。
【００２８】
ステップＳ２５では、停止部屋ごとにステップＳ２４で求めた偏差の絶対値が所定値Ｔｌａｂｓ以上であるか否かが判断される。偏差の絶対値が所定値以上である場合には、ステップＳ２５へと進む。偏差の絶対値が所定値未満である場合には、ステップＳ２１へと戻る。
ステップ２６では、電動弁３３ｂ、３３ｃ、３３ｄの開度の補正量が計算され、停止部屋ごとに電動弁３３ｂ、３３ｃ、３３ｄの開度が補正される。開度の補正量は、偏差に負の係数を乗じて計算される。冷媒の流量が多い室内熱交換器では、液管温度Ｔｌ♯が上昇し、冷媒の流量が少ない室内熱交換器では、液管温度Ｔｌ♯が低下する。このため、停止部屋の液管温度Ｔｌ♯が低い対象電動弁は開かれるように、停止部屋の液管温度Ｔｌ♯が高い対象電動弁は閉じられるように、それぞれの電動弁の開度が補正される。
【００２９】
〈空気調和機１の特徴〉
この空気調和機１では、停止部屋の電動弁３３ｂ、３３ｃ、３３ｄの開度を吐出管温度Ｔｏに基づいて制御するとともに、停止部屋の全室内機３ｂ、３ｃ、３ｄの液管温度Ｔｌｂ、Ｔｌｃ、Ｔｌｄ間の平均値と停止部屋の室内機３ｂ、３ｃ、３ｄの液管温度Ｔｌ♯との差が一定範囲に入るように、電動弁３３ｂ、３３ｃ、３３ｄごとにそれぞれ制御する。このため、室内機３ｂ、３ｃ、３ｄが異なる階に配置されている場合や室内の温度が異なる場合など室内機３ｂ、３ｃ、３ｄの環境が異なる場合であっても、運転を停止している室内機３ｂ、３ｃ、３ｄ内を流れる冷媒の量を各室内機３ｂ、３ｃ、３ｄについて概ね均等にすることができる。すなわち、停止部屋の電動弁３３ｂ、３３ｃ、３３ｄの開度について、吐出管温度Ｔｏによる制御のみ場合よりも、さらに細やかに電動弁３３ｂ、３３ｃ、３３ｄの制御を行うことができる。これにより、停止部屋が複数ある場合であっても、より安定した冷媒制御を行うことができる。
【００３０】
また、各電動弁３３ｂ、３３ｃ、３３ｄの開度の補正が行われるときに、各停止部屋の液管温度Ｔｌ♯と平均値Ｔｌａｖｅとの偏差ΔＴｌ♯が所定値以上であるか否かが判断され、偏差ΔＴｌ♯が小さい電動弁については、補正が行われない。このため、偏差ΔＴｌ♯が小さい場合には、冷媒の偏流による影響が小さいと判断して、開度の変更を省略することができる。
【００３１】
【発明の効果】
請求項１に記載の空気調和機では、運転を停止している室内機に対応する電動弁の開度が、すべての電動弁について一律に同様の制御を受けるのではなく、電動弁開度補正手段により、電動弁ごとにそれぞれ補正される。このため、室内機が置かれた部屋の温度や場所等の冷媒に影響を与えるような環境の違いに応じて、最適な電動弁の開度に補正して制御することができる。これにより、この空気調和機では、暖房運転が行われている場合であって、運転を停止している室内機が複数ある場合であっても、安定した冷媒制御を行うことができる。
【００３２】
請求項２に記載の空気調和機では、運転を停止している全室内機の液管温度の平均値と運転を停止している室内機の液管温度との差が一定範囲に入るように、運転を停止している室内機に対応する電動弁の開度を、電動弁ごとにそれぞれ制御する。このため、この空気調和機は、運転を停止している室内機内を流れる冷媒の量を各室内機について概ね均等にすることができる。これにより、室内熱交換器への液溜りが発生した場合や運転を停止している室内機内を流れる冷媒の量が各室内機について異なる場合に生じる不具合、例えば、冷媒音の発生や空気調和機全体の暖房能力の低下など、を抑えることができる。
【００３３】
請求項３に記載の空気調和機の制御方法では、運転を停止している室内機に対応する電動弁の開度が、すべての電動弁について一律に同様の制御を受けるのではなく、電動弁ごとにそれぞれ補正される。このため、室内機が置かれた部屋の温度や場所等の冷媒に影響を与えるような環境の違いに応じて、最適な電動弁の開度に補正して制御することができる。これにより、この空気調和機の制御方法によれば、暖房運転が行われている場合であって、運転を停止している室内機が複数ある場合であっても、安定した冷媒制御を行うことができる。
【図面の簡単な説明】
【図１】  空気調和機の構成図。
【図２】  空気調和機の冷媒回路の概略図。
【図３】  制御ブロック図
【図４】  電動弁開度の制御フローチャートの図。
【図５】  電動弁開度補正の制御フローチャートの図。
【符号の説明】
２                              室外機
３ａ，３ｂ，３ｃ，３ｄ          室内機
５                              冷媒回路
２０                            圧縮機
２２                            室外熱交換器
２４                            吐出管サーミスタ（吐出管温度センサ）
２７                室外制御部（電動弁開度制御手段、電動弁開度補正手段）
３０ａ，３０ｂ，３０ｃ，３０ｄ  室内熱交換器
３３ａ，３３ｂ，３３ｃ，３３ｄ  電動弁
３４ａ，３４ｂ，３４ｃ，３４ｄ  液管サーミスタ（液管温度センサ）
【図１】
0003772777.tif 000002
【図２】
0003772777.tif 000003
【図３】
0003772777.tif 000004
【図４】
0003772777.tif 000005
【図５】
0003772777.tif 000006